(57)【要約】【課題】視認性がよく、通行の邪魔にならず、取り付け及び取り外しが容易な袖看板を提供する。【解決手段】取付対象物から張り出した状態で設置される袖看板１であって、互いに対向して配置される一対の把持部３１，３１と、一対の把持部３１，３１の基端部３１ａ，３１ａ同士を連結する連結部３２と、把持部３１及び連結部３２の少なくとも一方に固定された看板部２と、を有し、一対の把持部３１，３１の間隔を広げて取付対象物を挟み、一対の把持部３１，３１の復元力で取付対象物を把持する。【選択図】図１
2010032811.tif 000002
【特許請求の範囲】
【請求項１】
取付対象物から張り出した状態で設置される袖看板であって、
互いに対向して配置される一対の把持部と、前記一対の把持部の一方の端部同士を連結する連結部と、前記把持部及び前記連結部の少なくとも一方に固定された看板部と、を有し、
前記一対の把持部の間隔を広げて前記取付対象物を挟み、前記一対の把持部の復元力で前記取付対象物を把持することを特徴とする袖看板。
【請求項２】
前記把持部及び前記連結部は、発泡樹脂で一体成形されていることを特徴とする袖看板。
【請求項３】
前記一対の把持部の他方の端部同士を連結する留め具を有することを特徴とする請求項１又は請求項２に記載の袖看板。
【発明の詳細な説明】
【技術分野】
【０００１】
本発明は、建物の壁面や支柱等から張り出した状態で設置される袖看板に関する。
【背景技術】
【０００２】
工事現場内の通路などに注意書きを表示する場合、通路の壁面に板状の看板を平面的に貼り付けることがある。
【０００３】
また、特許文献１には、標識看板の裏面にリング状の装着具を設け、リング状の装着具をカラーコーンの上部に嵌装して通路上に設置する立看板が開示されている。
【０００４】
また、特許文献２には、標識板の一端側にリング状のバンド体を設け、このバンド体を電柱に巻き付けて、締め付け螺子でバンド体を締め付けて、電柱から張り出して設置する袖看板が開示されている。
【特許文献１】登録実用新案第３０２３５２１号公報（図１−図５）
【特許文献２】実開平０１−７９０８４号公報（第１図）
【発明の開示】
【発明が解決しようとする課題】
【０００５】
しかしながら、通路の壁面に板状の看板を平面的に貼り付けた場合、貼り付けた位置から離れたところから看板を視認することが難しく、看板の間近に来ないと気づかないことがある。
【０００６】
また、カラーコーンに装着するタイプの立看板は、簡易に設置することができ、離れた場所からでも視認できるが、通路の一部が立看板で塞がれるので、通行の障害になる。
【０００７】
また、締め付け螺子でバンド体を締め付けるタイプの袖看板は、取り付け作業や取り外し作業が煩雑であった。また、部品点数が多く、部品自体も高価であるため高コストであった。
【０００８】
本発明は、かかる問題を解決するためになされたものであり、視認性がよく、通行の邪魔にならず、取り付け及び取り外しが容易な袖看板を提供することを課題とする。
【課題を解決するための手段】
【０００９】
本発明は、取付対象物から張り出した状態で設置される袖看板であって、互いに対向して配置される一対の把持部と、前記一対の把持部の一方の端部同士を連結する連結部と、前記把持部及び前記連結部の少なくとも一方に固定された看板部と、を有し、前記一対の把持部の間隔を広げて前記取付対象物を挟み、前記一対の把持部の復元力で前記取付対象物を把持することを特徴とする。
【００１０】
かかる構成によれば、互いに対向して配置される一対の把持部が、前記取付対象物を復元力で把持するように構成されているので、一対の把持部の間隔を広げて取付対象物を挟むという簡易な動作で、袖看板を取付対象物に容易に取り付けることができる。また、一対の把持部の間隔を広げるだけで把持部を取付対象物から取り外すことができる。
【００１１】
また、前記把持部及び前記連結部は、発泡樹脂で一体成形されているのが好ましい。
【００１２】
かかる構成によれば、把持部及び前記連結部が発泡樹脂で一体成形されているので、発泡樹脂の復元力で取付対象物を把持することができるとともに、軽量化を図ることができる。
【００１３】
また、本発明に係る袖看板は、前記一対の把持部の他方の端部同士を連結する留め具を有するのが好ましい。
【００１４】
このようにすれば、一対の把持部の他方の端部同士が留め具によって連結されるので、風などによって把持部の間隔が開いて袖看板が取付対象物から脱落することを防止することができる。
【発明の効果】
【００１５】
本発明によれば、視認性がよく、通行の邪魔にならず、取り付け及び取り外しが容易な袖看板を提供することができる。
【発明を実施するための最良の形態】
【００１６】
本発明を実施するための最良の実施形態について図面を参照して詳細に説明する。説明において、同一の要素には同一の符号を付し、重複する説明は省略する。
図１は、第１実施形態に係る袖看板の使用状態の一例を示した斜視図である。
【００１７】
図１に示すように、第１実施形態に係る袖看板１は、壁Ｗの端部Ｗａや柱などの取付対象物に着脱可能に取り付けられて使用される看板であり、例えば、工事現場における注意喚起のための看板として用いられている。第１実施形態では、袖看板１は、壁Ｗの端部Ｗａから通路Ｓ上に張り出して設置されている。
袖看板１は、文字や図形などのメッセージが表示される看板部２と、看板部２を取付対象物に取り付けるための取付部３と、を有している。
【００１８】
図２は、取付対象物から袖看板を取り外した状態を示した斜視図である。なお、図２においては、説明の便宜のため、看板部２の一部を取付部３から離して描いている。
図２に示すように、看板部２は、２つの板状部材２１，２１を接着剤や両面粘着テープなどで互いに内面の一部を貼り合わせて形成されている。板状部材２１は、例えば、文字や図形を記載した２枚の紙をラミネートフィルムでそれぞれコーティングしたものなどで構成されている。２つの板状部材２１，２１の取付部３側の内面２１ａは互いに貼り合わされておらず、二股形状に分かれており、例えば図２に示すように、両面テープ４によって取付部３に固定されている。なお、取付部３への２つの板状部材２１，２１の固定は、特に限定されるものではなく、リベットなど物理的な方法でもよい。
【００１９】
取付部３は、例えば発泡樹脂などの弾性変形可能な材料で構成された部材である。第１実施形態の取付部３は、例えば建物の壁の端部や柱の周囲を保護するための養生材を短く切断して形成されている。
【００２０】
取付部３について、図３を参照して詳しく説明する。図３は、袖看板の平面図である。
図３に示すように、取付部３は、互いに対向して配置される一対の把持部３１，３１と、一対の把持部３１，３１の基端部３１ａ，３１ａ同士を連結する連結部３２と、から構成されている。一対の把持部３１，３１と連結部３２は、例えば発泡樹脂で一体成形されている。
各把持部３１は、連結部３２の両側から看板部２と反対方向にやや外向きに延出したのち、内向きに湾曲している。そして、各把持部３１の先端部３１ｂは、略直線状に形成され、連結部３２と略直交する向きに延在している。各把持部３１の先端部３１ｂ同士は、並列に配置されており、その間にはスリット３３が形成されている。この一対の把持部３１の間に取付対象物が配置される。
把持部３１は、弾性変形可能な部材で構成されているので、把持部３１，３１同士の間隔を広げると、間隔を元に戻そうとする復元力が作用するようになっている。
【００２１】
つづいて、第１実施形態に係る袖看板１の使用方法について図４を参照して説明する。図４は、袖看板を取付対象物に取り付ける手順を説明するための平面図であり、（ａ）は取付前の状態、（ｂ）は取付後の状態をそれぞれ示している。
【００２２】
はじめに、図４（ａ）に示すように、一対の把持部３１，３１同士の間隔を、取付対象物である壁Ｗの端部Ｗａの幅寸法よりも大きく広げる。具体的には、略Ｕ字状に湾曲した状態にある一対の把持部３１，３１を、略Ｌ字状となるように変形させる。これにより、把持部３１，３１の先端部３１ｂ，３１ｂ同士の間隔が、端部Ｗａの幅寸法よりも大きくなる。
【００２３】
次に、図４（ｂ）に示すように、把持部３１，３１同士の間隔を広げた状態で取付部３を壁Ｗの端部Ｗａに被せることにより、一対の把持部３１，３１によって壁Ｗを挟み込む。一対の把持部３１，３１は、湾曲した状態に戻ろうとするので、この復元力で壁Ｗを把持することとなる。これにより、袖看板１は、壁Ｗの端部Ｗａに取り付けられた状態となる。
【００２４】
このように、第１実施形態に係る袖看板１によれば、互いに対向して配置される一対の把持部３１，３１が、壁Ｗを復元力で把持するように構成されているので、弾性部材で形成された一対の把持部３１，３１を広げて壁Ｗを挟むという簡易な動作で、袖看板１を壁Ｗの端部Ｗａに容易に取り付けることができる。また、一対の把持部３１，３１を広げるだけで袖看板１を壁Ｗから容易に取り外すことができる。
【００２５】
また、一対の把持部３１，３１は、発泡樹脂で構成されているので、自重が小さい。そのため、比較的小さな復元力（把持力）で、袖看板１を壁Ｗから張り出した状態に支持することができる。また、袖看板１は、壁Ｗから張り出した状態で支持されているので、離れた位置からでも良好に視認することができるとともに、通行の妨げになることがない。
また、自重が小さい（軽い）ので、持ち運びが容易であり、仮に落下したとしても怪我しない。また、看板部２をフィルムでコーティングした紙で形成すれば、容易に変形するので、ぶつかっても怪我をすることが無い。
【００２６】
つづいて、第２実施形態に係る袖看板１Ａについて、図５を参照して説明する。なお、第1実施形態と同一の要素については同一の符号を付し、重複する説明は省略する。
図５は、第２実施形態に係る袖看板を示す図面であり、（ａ）は取付対象物に取り付けていない状態を示す斜視図、（ｂ）は取付対象物に取り付けた状態を示す平面図、である。
【００２７】
図５（ａ），（ｂ）に示すように、第２実施形態に係る袖看板１Ａは、一対の把持部３１，３１の他方の端部同士を係脱可能に連結する留め具５，５を備えている点が、第１実施形態と異なっている。
【００２８】
留め具５は、図５（ａ）に示すように、一対の把持部３１，３１のうち、連結部３２と反対側に位置する湾曲した部分に、上下に離間して２箇所に設けられている。
留め具５は、一対の把持部３１，３１の湾曲した部分にそれぞれ突設された一対の円柱状の軸部５１，５１と、各軸部５１，５１の先端側にそれぞれ取り付けられた円盤状の係止部５２，５２と、一対の軸部５１，５１の係止部５２よりも把持部３１側に巻き付けられた留め紐５３と、から構成されている。留め紐５３の一方の端部は、一対の軸部５１，５１のうちの一方に固定されている。
【００２９】
図５（ｂ）に示すように、取付対象物である円柱状の柱Ｈに袖看板１Ａを取り付ける場合には、一対の把持部３１，３１を広げて柱Ｈを両側から包むように把持したのち、一対の軸部５１の間に留め紐５３を巻きつける。
これにより、把持部３１，３１同士の間隔が開くことがなくなるため、袖看板１Ａが風などによって脱落することがない。
【００３０】
つづいて、第３実施形態に係る袖看板１Ｂについて、図６を参照して説明する。説明において、第１及び第２実施形態と同一の要素には同一の符号を付し、重複する説明は省略する。
図６は、第３実施形態に係る袖看板の斜視図である。
図６に示すように、第３実施形態に係る袖看板１Ｂは、看板部６が中空状に構成されている点が、第１実施形態と異なっている。
【００３１】
看板部６は、２枚の板状部材６１を接着剤や溶着などで中空部６２を形成するように貼り合わされている。２つの板状部材６１，６１の取付部３側の内面２１ａは互いに貼り合わされておらず、二股形状に分かれており、取付部３に固定されている。
中空部６２には、図形や文字を記載したプレート６４を格納する。中空部６２は、雨水などが入り込まないように、下向きに開口している。中空部６２の開口部にはチャック６３が設けられており、開口部を開閉できるようになっている。
プレート６４は、図形や文字を記載した板状の部材であり、例えば紙やプラスチックフィルムなどで形成されている。
【００３２】
第３実施形態に係る袖看板１Ｂによれば、看板部６にプレート６４を格納するための中空部６２が設けられているので、異なる図形や文字を記載したプレート６４を複数用意しておけば、目的に合わせてプレート６４を自在に交換することができる。そのため、一つの袖看板１Ｂを複数の用途に使用することができる。
【００３３】
以上、本発明を実施するための最良の実施形態について、図面を参照して詳細に説明したが、本発明はこれらの実施形態に限定されるものではなく、発明の主旨を逸脱しない範囲で適宜変更が可能である。
【００３４】
例えば、取付部３の形状は、取付対象物を挟むことが可能であればどのような形状でも良い。ここで、取付部３の変形例について図７を参照して説明する。
図７（ａ）は、第１変形例を示す平面図であり、（ｂ）は第２変形例を示す平面図である。
【００３５】
図７（ａ）に示すように、第１変形例に係る取付部３Ａは、略直線状に形成された一対の把持部３１Ａ，３１Ａを有している。一対の把持部３１Ａ，３１Ａは、連結部３２の両端部から、看板部２と反対方向に内向きに延出している。
このような取付部３Ａによれば、比較的幅の狭い取付対象物を把持することができる。
【００３６】
図７（ｂ）に示すように、第２変形例に係る取付部３Ｂは、略Ｕ字状に形成された一対の把持部３１Ｂ，３１Ｂを有している。一対の把持部３１Ｂは、連結部３２の両端から連結部３２と略平行に延出したのち、略１８０度湾曲し、さらに連結部３２の中央部付近まで延出している。
このような取付部３Ｂによれば、比較的幅の広い取付対象物を把持することができる。
【００３７】
また、一対の把持部３１，３１の材質は、取付対象物を復元力で把持可能であれば、発泡樹脂に限定されるものではなく、例えば金属製薄板で構成されていてもよいし、金属製薄板を補助的に併用してもよい。
【図面の簡単な説明】
【００３８】
【図１】第１実施形態に係る袖看板の使用状態の一例を示した斜視図である。
【図２】取付対象物から袖看板を取り外した状態を示した斜視図である。
【図３】袖看板の平面図である。
【図４】袖看板を取付対象物に取り付ける手順を説明するための平面図であり、（ａ）は取付前の状態、（ｂ）は取付後の状態をそれぞれ示している。
【図５】第２実施形態に係る袖看板を示す図面であり、（ａ）は取付対象物に取り付けていない状態を示す斜視図、（ｂ）は取付対象物に取り付けた状態を示す平面図、である。
【図６】第３実施形態に係る袖看板の斜視図である。
【図７】（ａ）は、第１変形例を示す平面図であり、（ｂ）は第２変形例を示す平面図である。
【符号の説明】
【００３９】
１      袖看板
２      看板部
３      取付部
３１    把持部
３２    連結部
【図１】
2010032811.tif 000003
【図２】
2010032811.tif 000004
【図３】
2010032811.tif 000005
【図４】
2010032811.tif 000006
【図５】
2010032811.tif 000007
【図６】
2010032811.tif 000008
【図７】
2010032811.tif 000009